(57)【要約】【課題】操作部を簡素化して小型で短いストロークながら安定した接触信頼性が得られる二段動作入力装置を提供する。【解決手段】操作部を簡素化して小型で短いストロークながら、第１可動接点５が絶縁シート７を跨いで配置されことにより、第１可動接点５と第一固定接点用パターン２とが当接して導通を得るための第１可動接点５を変形させる荷重により明確な操作感が得られ、かつ動作荷重は第１可動接点５の変形により制御可能とすることができる。  また第１可動接点５を２箇所以上に設置することで操作部の何処を操作しても安定した接触信頼性が得られる。【選択図】図３
2007311101.tif 000002
【特許請求の範囲】
【請求項１】
第１可動接点と第２可動接点とを有する操作部と第１固定接点と第２固定接点とを有する基板からなり、前記操作部を押下すると初めに前記第１可動接点と前記第１固定接点とが当接して第１の電気的導通が得られ、更に継続して同一方向へ押下すると次に前記第２可動接点と前記第２固定接点とが当接して第２の電気的導通が得られることにより二種類の動作が得られる二段動作入力装置であって、ゴムを基材とし先端に導電部を有する前記第１可動接点と、前記第１可動接点を２箇所以上備えた前記操作部と、前記第１可動接点と対向する位置に前記第１固定接点を備えた基板と、前記第１の固定接点を覆うように前記基板に貼付された絶縁シートからなり、前記絶縁シートには穴が設けられており、前記第１可動接点は前記絶縁シートの穴を跨ぐよう設置され、２箇所以上に備えた前記第１可動接点のいずれか一つが作動すれば前記第１の電気的導通が得られることを特徴とする二段動作入力装置。
【発明の詳細な説明】
【技術分野】
【０００１】
本発明は電子機器の入力装置に関するものである。
【背景技術】
【０００２】
従来、電子機器に使用する二段動作入力装置として、操作ストロークを大きくして二段のクリック感を識別し易い構成としたものが知られている。（例えば、特許文献１参照）
特許文献１記載のダブルアクションスイッチを図４に示す。図４において基板４１上に第１接点用パターン４２ａ，４２ｂ及び第２接点用パターン４３ａ，４３ｂが形成され、それらのパターンを囲んで第１リング状ラバー４４が基板４１上に取付けられ、該ラバー４４より一体に上端が解放の第１ドウム状ラバー４５が突設される。該ラバー４５の上端に第２リング状ラバー４６が取付けられ、該ラバー４６より第２ドウム状ラバー４７が突設され、該ラバー４７の天井壁より一体に操作ボタン４８が突設される。第２リング状ラバー４６の底面に、馬蹄状の第１可動接点４９が取付けられ、第２ドウム状ラバー４７の天井面に第２可動接点５０が取付けられる。操作ボタン４８を押下すると、最初に第１ドウム状ラバー４５が折り返されて第１可動接点４９が第１接点用パターン４２に当接し、次に第２ドウム状ラバー４７が折り返されて第２可動接点５０が第２接点用パターン４３に当接する。第１、第２可動接点４９，５０に導電性ゴムを用いることができる。
【特許文献１】特開平０８−１１１１３４号公報
【発明の開示】
【発明が解決しようとする課題】
【０００３】
しかしながら、特許文献１記載のダブルアクションスイッチは、動作の際に第１、第２接点部のラバーを折り返すことによって操作ストロークを大きくして操作感が得られるものであり、構造が複雑化して小型化することができないという問題があった。
【０００４】
また、第１可動接点と第２可動接点にはそれぞれに独立したラバーの折返し構造を有するため、二段動作の荷重バランスを成立させるのが困難であるという問題があった。
【０００５】
本発明は、このような従来の問題を解決するためになされたものであり、ラバーの折り返し構造を必要とせず、操作部を簡素化して小型で短いストロークながら明確な操作感が得られ、動作荷重は第１可動接点の変形により制御可能とすることができる。
【０００６】
また第１可動接点を２箇所以上に設置することで操作部の何処を操作しても安定した接触信頼性が得られる二段動作入力装置を提供することができる。
【課題を解決するための手段】
【０００７】
本発明の二段動作入力装置は、第１可動接点と第２可動接点とを有する操作部と第１固定接点と第２固定接点とを有する基板からなり、前記操作部を押下すると初めに前記第１可動接点と前記第１固定接点とが当接して第１の電気的導通が得られ、更に継続して同一方向へ押下すると次に前記第２可動接点と前記第２固定接点とが当接して第２の電気的導通が得られることにより二種類の動作が得られる二段動作入力装置であって、ゴムを基材とし先端に導電部を有する前記第１可動接点と、前記第１可動接点を２箇所以上備えた前記操作部と、前記第１可動接点と対向する位置に前記第１固定接点を備えた基板と、前記第１の固定接点を覆うように前記基板に貼付された絶縁シートからなり、前記絶縁シートには穴が設けられており、前記第１可動接点は前記絶縁シートの穴を跨ぐよう設置され、２箇所以上に備えた前記第１可動接点のいずれか一つが作動すれば前記第１の電気的導通が得られるという作用を有する。
【０００８】
この構成により、従来のようなラバーを折り返す構造を必要とせず、操作部を簡素化して小型で短いストロークながら明確な操作感が得られ、動作荷重は第１可動接点の変形により制御可能とすることができる。
【０００９】
また第１可動接点を２箇所以上に設置することで操作部の何処を操作しても安定した接触信頼性が得られる。
【発明の効果】
【００１０】
以上のように本発明の二段動作入力装置によれば、操作部を簡素化して小型で短いストロークながら明確な操作感が得られ、かつ安定した接触信頼性が得られる。
【発明を実施するための最良の形態】
【００１１】
以下、本発明の実施の形態について図面を用いて説明する。
【００１２】
（第１の実施の形態）
図１は、本発明第１の実施の形態における二段動作入力装置の構成を示す断面図である。
【００１３】
本発明第１の実施の形態における二段動作入力装置は、図１に示すように、第１固定接点用パターン２と第２固定接点用メンブレンスイッチ３からなる基板１と、第１可動接点５と第２可動接点６が一体化された操作部４から構成されている。
【００１４】
本発明をカメラ等のオートフォーカス機能を例に図１を用いて説明する。操作部４が押下操作すると初めに第１可動接点５が第１固定接点用パターン２に当接し導通され、第１の動作であるフォーカス機能が作動する。この第１の動作についてはフォーカスが確定するまで長押しをする必要かあり、クリック等による動作認識は必要としない。フォーカスの確定後、更に操作部４を押下すると第２可動接点６の作用により第２固定接点用メンブレンスイッチ３が押下され第２の動作であるシャッター機能が作動する。この第２の動作については一瞬の動作を必要とするため、クリック等による動作認識が必要とされる。
【００１５】
本発明の構成によれば、第１の動作には図４に示すような第１ドウム状ラバー４５や第２ドウム状ラバー４７は必要とせず、操作部４の直下に第１可動接点５と第２可動接点６が構成されることで、操作部４の構造を簡素化して小型な構成を実現できるものである。
【００１６】
なお、本実施の形態では、カメラ等のオートフォーカス機能を一例に説明しているが、一つの操作部４で二段動作を必要とするものであれば制限しない。
また図１において第１可動接点５は第２可動接点６を中心として左右に２箇所設けられている。これにより操作部４の操作面上の何処を操作しても、２箇所に設けられた第１可動接点５のいずれか一つが第１固定接点用パターン２に当接すれば第１の動作が得られるため安定した接触信頼性を得ることができる。
【００１７】
なお、本実施の形態では、第１可動接点５を２箇所に設けたことを一例としているが、安定した接触信頼性が得られるならば、第１可動接点５の設置数は制限しない。
【００１８】
図２は、本実施の形態における二段動作入力装置の構成を示す平面図である。
【００１９】
図２（ａ）は基板１に設けた２つの第１固定接点用パターン２ａと２ｂを示す。また、図２（ｂ）は第１可動接点５を基板１に重ねた構成を示す。
【００２０】
また図３は図２（ｂ）に示すＡ−Ａ´線に沿った断面を示す断面図であり、本実施の形態における第１の動作についての動作手順を示す。
【００２１】
本実施の形態における二段動作入力装置の第１の動作は図３に示す手順からなる。図３（ａ）は操作部４を操作する前のフリー状態を示し、操作部４が矢印方向へ押下されると図３（ｂ）に示すように第１可動接点５の導電部５ａは初めに絶縁シート７に当接する。この時点では導電部５ａは２つの第１固定接点用パターン２ａと２ｂとは絶縁シートに遮られ導通しない。図３（ｂ）の状態から更に矢印方向へ操作部４が押下されると、図３（ｃ）に示すようにゴムで形成された第１可動接点５が変形することによって、絶縁シートの穴７ａに潜り込むことにより初めて導電部５ａと２つの第１固定接点用パターン２ａと２ｂとが当接でき、導電部５ａを介し２つの第１固定接点用パターン２ａと２ｂが短絡し、電気的に導通が得られる構成となっている。図３（ｂ）の状態から図３（ｃ）の状態へゴムで形成された第１可動接点５を変形させるときに必要な荷重が得られることで、小型で短い動作ストロークながら明確な操作感が得られる。
【産業上の利用可能性】
【００２２】
本発明は、一度の操作で二つの動作を行う必要がある電子機器の二段動作入力装置に有用である。
【図面の簡単な説明】
【００２３】
【図１】本発明第１の実施の形態における二段動作入力装置の断面図
【図２】本発明第１の実施の形態における二段動作入力装置の第１の動作における構成を示す平面図
【図３】本発明第１の実施の形態における二段動作入力装置の断面図であり、図２(ｂ)のＡ−Ａ´線に沿った断面図
【図４】従来の二段動作入力装置の断面図
【符号の説明】
【００２４】
１    基板
２    第１固定接点用パターン
２ａ    第１固定接点用パターン
２ｂ    第１固定接点用パターン
３    第２固定接点用メンブレンスイッチ
４    操作部
５    第１可動接点
５ａ    導電部
６    第２可動接点
７    絶縁シート
７ａ    絶縁シート穴部
【図１】
2007311101.tif 000003
【図２】
2007311101.tif 000004
【図３】
2007311101.tif 000005
【図４】
2007311101.tif 000006